(57)【特許請求の範囲】
【請求項１】
電線端部にそれぞれ接続されたプラス極又はマイナス極のバッテリーターミナルを、バッテリー本体の対応する極性のバッテリーポストにそれぞれ接続させるバッテリーターミナルの接続構造において、
前記バッテリー本体は、その外側壁に形成された壁部に囲まれた収容空間内に設けられたプラス極及びマイナス極のバッテリーポストと、
前記外側壁に設けられ、前記各バッテリーポストの前記収容空間を外部に連通させるとともに、プラス極又はマイナス極の前記各バッテリーポストに対応する前記バッテリーターミナルのみを嵌挿可能なように専用の所要形状を有する少なくとも一対のターミナル用開口とを備え、
前記各バッテリーターミナルは、対応する前記ターミナル用開口に嵌挿可能な所要形状に形成されており、前記ターミナル用開口への嵌挿方向先端に、前記バッテリーポストに嵌合されて電気的接続を得る接続用溝を備えていることを特徴とするバッテリーターミナルの接続構造。
【請求項２】
前記バッテリー本体の前記各バッテリーポスト近傍には、前記各バッテリーターミナルを係止する被係止部が設けられ、
前記各バッテリーターミナルの先端には、前記各ターミナル用開口から前記バッテリーポストへの嵌挿に伴って、前記被係止部に係止される係止爪が設けられていることを特徴とする請求項１記載のバッテリーターミナルの接続構造。
【請求項３】
前記各バッテリーターミナルには、前記ターミナル用開口への嵌挿方向に沿って回転防止用リブが突設されており、
前記バッテリー本体の前記各ターミナル用開口には、前記回転防止用リブを嵌挿するリブ用溝が設けられていることを特徴とする請求項１又は２記載のバッテリーターミナルの接続構造。
【請求項４】
前記各極性のバッテリーポストは、前記バッテリー本体の角部近傍に配置されるとともに、前記バッテリーポストに対応する前記各ターミナル用開口が、前記角部を挟んで交差する前記外側壁の両面に設けられており、
前記各極性のバッテリーターミナルは、前記両面に設けられた前記ターミナル用開口のいずれか一方を選択的に介して、対応する極性の前記バッテリーポストに接続可能であることを特徴とする請求項１、２又は３記載のバッテリーターミナルの接続構造。
【請求項５】
前記各極性のバッテリーポストの先端部が、前記バッテリー本体の前記壁部から外側に突出しないように設けられていることを特徴とする請求項１、２、３又は４記載のバッテリーターミナルの接続構造。
【請求項６】
前記各極性のバッテリーポストには、対応する前記ターミナル用開口に嵌挿されて前記バッテリーポストに嵌合された前記各バッテリーターミナルを、前記バッテリーポストへの螺合によって固定する螺合部材が設けられ、前記バッテリー本体の前記壁部には、前記各螺合部材の螺合作業のための作業用開口が設けられ、
前記各螺合部材には、前記バッテリーポストへの螺合に伴って前記作業用開口を閉塞させる開口閉塞部材が、一体的に設けられていることを特徴とする請求項１、２、３、４又は５記載のバッテリーターミナルの接続構造。
【請求項７】
前記各開口閉塞部材は、外部から手動操作可能であり、前記螺合部材を螺合させるための所要のツールを装着可能なツール装着部が設けられていることを特徴とする請求項６記載のバッテリーターミナルの接続構造。
【発明の詳細な説明】
【０００１】
【発明の属する技術分野】
本発明は、電線端部にそれぞれ接続されたプラス極又はマイナス極のバッテリーターミナルを、バッテリー本体の対応する極性のバッテリーポストにそれぞれ接続させるためのバッテリーターミナルの接続構造に関する。
【０００２】
【従来の技術】
従来のバッテリーターミナルの接続構造としては、特開平４−２２０９４７号公報等に開示されているものがある。図５及び図６を参照すると、従来のバッテリー６０は、略角柱状に形成されたバッテリーターミナル６１のボルト取付孔６２に、コード端子６３のボルト挿通孔６４を挿通されたボルト６５を螺合させることにより、バッテリーターミナル６１にコード端子６３を固定するものが記載されている。
【０００３】
前記コード端子６３は、バッテリーターミナル６１へのコード端子６３の接続に際して、平板部６３ａをバッテリー６０のバッテリーターミナル６１の結合面６１ａに係合されるとともに、平板部６３ａの縁部を折曲して形成された一対の突片６３ｂを、バッテリーターミナル６１の２つの側面６１ｂにそれぞれ係合される。
また、バッテリーターミナル６１のボルト取付孔６２及びコード端子６３のボルト挿通孔６４は、バッテリーターミナル６１の結合面６１ａの中心から偏心した位置に設けられる。
【０００４】
【発明が解決しようとする課題】
上述した従来のバッテリーターミナルの接続構造では、バッテリーターミナル６１の各側面６１ｂへのコード端子６３の各突片６３ｂの係合と、バッテリーターミナル６１の結合面６１ａ中心に対するボルト取付孔６２及びボルト挿通孔６４の偏心により、バッテリーターミナル６１へのコード端子６３の接続方向を規制している。従って、接続方向の取り違え等による誤接続を防止することができる。
【０００５】
しかし、コード端子６３の極性の取り違えには全く対応しておらず、バッテリーターミナル６１とコード端子６３の極性違いによる誤接続を防止することができないという問題があった。
【０００６】
また、バッテリーターミナル６１へのコード端子６３の取付作業が煩雑であり、作業時間の短縮が困難であるという問題もあった。
すなわち、コード端子６３の取付作業に際して、作業者は、コード端子６３の平板部６３ａをバッテリーターミナル６１の結合面６１ａに係合させた状態で、コード端子６３のボルト挿通孔６４の位置を、バッテリーターミナル６１のボルト取付孔６２の位置に合わせる。そして、この状態を片手で保持したまま、もう一方の手でボルト６５をボルト挿通孔６４を介してボルト取付孔６２に螺合させる必要がある。従って、作業者は、両手を使った煩雑な作業を強いられることとなり、多くの作業時間を要する。
【０００７】
更に、バッテリーターミナル６１のボルト取付孔６２に、コード端子６３のボルト挿通孔６４を挿通されたボルト６５を螺合することで、バッテリー６０として十分な効果を発揮するものである。
【０００８】
なお、広く一般に用いられているバッテリーとしては、バッテリーターミナルが接続されるバッテリーポストがバッテリー本体に予め立設されており、バッテリーポストに螺合される固定用ナットによって、バッテリーターミナルを各バッテリーポストに固定する構成が挙げられる。
このような構成に、上述した従来のバッテリーターミナルの接続構造をそのまま適用することはできない。しかも、例え適用できたとしても、作業性改善に顕著な効果は期待できない。
【０００９】
本発明は、上記課題を解決することにあり、極性違いによる誤接続を確実に防止することができるとともに、良好な作業性を確保することができるバッテリーターミナルの接続構造を提供することを目的としている。
【００１０】
【課題を解決するための手段】
本発明に係わる上記課題は、電線端部にそれぞれ接続されたプラス極又はマイナス極のバッテリーターミナルを、バッテリー本体の対応する極性のバッテリーポストにそれぞれ接続させるバッテリーターミナルの接続構造において、
前記バッテリー本体は、その外側壁に形成された壁部に囲まれた収容空間内に設けられたプラス極及びマイナス極のバッテリーポストと、
前記外側壁に設けられ、前記各バッテリーポストの前記収容空間を外部に連通させるとともに、プラス極又はマイナス極の前記各バッテリーポストに対応する前記バッテリーターミナルのみを嵌挿可能なように専用の所要形状を有する少なくとも一対のターミナル用開口とを備え、
前記各バッテリーターミナルは、対応する前記ターミナル用開口に嵌挿可能な所要形状に形成されており、前記ターミナル用開口への嵌挿方向先端に、前記バッテリーポストに嵌合されて電気的接続を得る接続用溝を備えていることを特徴とするバッテリーターミナルの接続構造によって解決することができる。
【００１１】
前記構成のバッテリーターミナルの接続構造においては、電線端部にそれぞれ接続されたプラス極又はマイナス極のバッテリーターミナルが、バッテリー本体の外側壁の対応するターミナル用開口から対応する極性のバッテリーポストの収容空間にそれぞれ嵌挿され、その先端の接続用溝内にバッテリーポストが嵌合され、電気的接続を得る。
【００１２】
この際、バッテリーターミナルを、対応しない極性のターミナル用開口に誤って嵌挿させようとしても、形状の相違から嵌挿させることはできない。従って、バッテリーターミナルを極性を誤ってバッテリーポストに接続することはない。
また、各バッテリーターミナルは、それぞれ対応するターミナル用開口に嵌挿された状態では、作業中の脱落等の心配が殆どない。従って、良好な作業性が確保される。
【００１３】
また、前記バッテリーターミナルの接続構造において、好ましくは前記バッテリー本体の前記各バッテリーポスト近傍には、前記各バッテリーターミナルを係止する被係止部が設けられ、
前記各バッテリーターミナルの先端には、前記各ターミナル用開口から前記バッテリーポストへの嵌挿に伴って、前記被係止部に係止される係止爪が設けられていることを特徴とするバッテリーターミナルの接続構造によって解決できる。
【００１４】
前記構成のバッテリーターミナルの接続構造においては、バッテリー本体の対応する各ターミナル用開口への各バッテリーターミナルの嵌挿に伴って、各バッテリーターミナルの先端に設けられた係止爪が、各バッテリーポスト近傍に設けられた被係止部に係止される。従って、以後の作業中に、バッテリーターミナルがターミナル用開口から抜けてしまう等の不具合が確実に防止され、良好な作業性が得られる。
【００１５】
また、上記バッテリーターミナルの接続構造において、好ましくは前記各バッテリーターミナルには、前記ターミナル用開口への嵌挿方向に沿って回転防止用リブが突設されており、
前記バッテリー本体の前記各ターミナル用開口には、前記回転防止用リブを嵌挿するリブ用溝が設けられていることを特徴とするバッテリーターミナルの接続構造によって解決できる。
【００１６】
前記構成のバッテリーターミナルの接続構造においては、各極のバッテリーターミナルが、バッテリー本体の外側壁の対応するターミナル用開口から各極のバッテリーポストの収容空間に嵌挿される際、各バッテリーターミナルのターミナル用開口への嵌挿方向に沿って突設された回転防止用リブが、ターミナル用開口のリブ用溝に嵌合される。従って、作業に伴う各バッテリーターミナルの例えば水平面内での不用意な回転等が防止され、良好な作業性が得られる。
【００１７】
また、上記バッテリーターミナルの接続構造において、好ましくは前記各極性のバッテリーポストは、前記バッテリー本体の角部近傍に配置されるとともに、前記バッテリーポストに対応する前記各ターミナル用開口が、前記角部を挟んで交差する前記外側壁の両面に設けられており、
前記各極性のバッテリーターミナルは、前記両面に設けられた前記ターミナル用開口のいずれか一方を選択的に介して、対応する極性の前記バッテリーポストに接続可能であることを特徴とするバッテリーターミナルの接続構造によって解決できる。
【００１８】
前記構成のバッテリーターミナルの接続構造においては、各極性のバッテリーターミナルは、バッテリー本体の角部を挟んで交差する外側壁の両面に設けられた２箇所のターミナル用開口のいずれか一方を適宜選択して、対応する極性のバッテリーポストに接続される。
すなわち、各極性のバッテリーターミナルは、それぞれターミナル用開口を設けられたバッテリー本体の外側壁の直交する２面の内、どちらの方向からでも各ターミナル用開口を介して対応する極性のバッテリーポストに接続可能である。従って、良好な作業性と、搭載車両等におけるバッテリーレイアウト等の高い自由度が得られる。
【００１９】
また、上記バッテリーターミナルの接続構造において、好ましくは前記各極性のバッテリーポストの先端部が、前記バッテリー本体の前記壁部から外側に突出しないように設けられていることを特徴とするバッテリーターミナルの接続構造によって解決できる。
【００２０】
前記構成のバッテリーターミナルの接続構造においては、各極性のバッテリーポストの先端部がバッテリー本体の壁部から外側に突出しない。従って、ツール等の不用意な接触によるショート及び損傷等からバッテリーポストを保護することができる。
【００２１】
また、上記バッテリーターミナルの接続構造において、好ましくは前記各極性のバッテリーポストには、対応する前記ターミナル用開口に嵌挿されて前記バッテリーポストに嵌合された前記各バッテリーターミナルを、前記バッテリーポストへの螺合によって固定する螺合部材が設けられ、
前記バッテリー本体の前記壁部には、前記各螺合部材の螺合作業のための作業用開口が設けられ、
前記各螺合部材には、前記バッテリーポストへの螺合に伴って前記作業用開口を閉塞させる開口閉塞部材が、一体的に設けられていることを特徴とするバッテリーターミナルの接続構造によって解決できる。
【００２２】
前記構成のバッテリーターミナルの接続構造においては、各バッテリーターミナルは、それぞれ対応するターミナル用開口に嵌挿されて接続用溝内にバッテリーポストが嵌合された状態で、螺合部材がバッテリーポストに螺合されることにより固定される。このバッテリーポストへの螺合部材の螺合に伴って、螺合部材に一体的に設けられた開口閉塞部材が、作業用開口を閉塞させる。従って、作業後の作業用開口の閉塞による高い防水性及び防塵性が確保される。
【００２３】
更に、前記バッテリーターミナルの接続構造において、好ましくは前記各開口閉塞部材は、外部から手動操作可能であり、前記螺合部材を螺合させるための所要のツールを装着可能なツール装着部が設けられていることを特徴とするバッテリーターミナルの接続構造によって解決できる。
【００２４】
前記構成のバッテリーターミナルの接続構造においては、各バッテリーターミナルは、それぞれ対応するターミナル用開口に嵌挿されて接続用溝にバッテリーポストが嵌合された状態で、螺合部材がバッテリーポストに螺合されることにより固定される。
【００２５】
すなわち、螺合部材は、一体的に設けられた開口閉塞部材を外部から手動操作で回転させるか、又は開口閉塞部材のツール装着部に装着された所要のツールを介して操作することにより、バッテリーポストに螺合される。このバッテリーポストへの螺合部材の螺合に伴って、開口閉塞部材が作業用開口を閉塞させる。従って、螺合部材の良好な螺合作業性の確保と、作業後の作業用開口の閉塞による高い防水性及び防塵性の確保が両立される。
【００２６】
【発明の実施の形態】
以下、本発明のバッテリーターミナルの接続構造の第１実施形態を図１及び図２に基づいて詳細に説明する。図１は本実施形態のバッテリーターミナルの接続構造を示す要部の斜視図、図２は図１における被係止部及び係止爪を示す断面図である。
【００２７】
図１に示すように本実施形態のバッテリーターミナルの接続構造は、電線端部１０にそれぞれ接続されたプラス極又はマイナス極のバッテリーターミナル４０，４１が、バッテリー本体２０の対応する極性のバッテリーポスト２１，２２にそれぞれ接続されるとともに、バッテリーポスト２１，２２に螺合される固定用ナット２３の締め付けによって固定される。
【００２８】
前記バッテリー本体２０の図１中上部の左右で対をなす角部２４，２５（以下、それぞれ左側角部２４、右側角部２５という）には、バッテリー本体２０の外側壁２６，２７，２８に一体成形された壁部２９で囲まれたバッテリーポスト収容空間３０（以下、収容空間３０という）が形成されている。
前記各収容空間３０には、プラス極及びマイナス極のバッテリーポスト２１，２２が、先端部（図１中上端部）をバッテリー本体２０の壁部２９上面から突出しないように設けられている。
また、各収容空間３０のバッテリーポスト２１，２２の基端部には、略正方形状の被係止部３１が、基端部周囲から段状に突出している。この各被係止部３１は、後述するバッテリーターミナル４０，４１の係止爪４７を係止する。
【００２９】
前記バッテリー本体２０の外側壁２６，２７，２８によって形成される左側角部２４及び右側角部２５近傍には、前記収容空間３０を外部に連通させるターミナル用開口３２，３３が設けられている。
【００３０】
前記ターミナル用開口３２，３３は、各収容空間３０毎に２箇所、バッテリー本体２０の各外側壁２６，２７，２８と壁部２９との間に設けられている。この各ターミナル用開口３２，３３は、プラス極又はマイナス極に専用の所要形状に形成されており、対応する極性のバッテリーターミナル４０，４１のみを嵌挿可能である。
【００３１】
すなわち、バッテリー本体２０の左側角部２４に設けられた各ターミナル用開口３２（以下、左側ターミナル用開口３２という）は、バッテリー本体２０の左側角部２４を挟んで直交する２つの外側壁２６，２７に開口している。また、この左側ターミナル用開口３２は、後述する回転防止用リブ４３を嵌合するリブ用溝３２ａが、端部の下方（図１中の右端下方）に形成されており、例えばプラス極のバッテリーターミナル４０のみを嵌挿可能である。
また、バッテリー本体２０の右側角部２５に設けられた各ターミナル用開口３３（以下、右側ターミナル用開口３３という）は、バッテリー本体２０の右側角部２５を挟んで直交する２つの外側壁２６，２８に開口している。また、この右側ターミナル用開口３３は、後述する回転防止用リブ４５を嵌合するリブ用溝３３ａが、端部の下方（図１中の左端下方）に形成されており、例えばマイナス極のバッテリーターミナル４１のみを嵌挿可能である。
【００３２】
また、前記バッテリー本体２０の壁部２９の上面には、作業用開口３４が設けられている。すなわち、この作業用開口３４は、各収容空間３０に１個、バッテリー本体２０の壁部２９上面に平面視矩形状に開口している。この各作業用開口３４は、バッテリーポスト２１，２２への固定用ナット２３の螺合作業を行うためのものであり、例えば固定用ナット２３を螺合のために回転させるツール等（図示しない）を挿通させる。
【００３３】
更に、前記各バッテリーターミナル４０，４１は、対応するターミナル用開口３２，３３に嵌挿可能な所要形状に形成されている。
【００３４】
すなわち、図１中左側の例えばプラス極のバッテリーターミナル４０（以下、プラス極のバッテリーターミナル４０という）は、平板部４２の図１中右縁部下面に、左側ターミナル用開口３２のリブ用溝３２ａに対応する形状及び寸法の回転防止用リブ４３が嵌挿方向に沿って突設されている。これにより、プラス極のバッテリーターミナル４０は、左側ターミナル用開口３２にのみ嵌挿可能で、右側ターミナル用開口３３には嵌挿不能であるとともに、固定用ナット２３の回転に伴うバッテリーターミナル４０の水平面内での不用意な回転等が防止される。
【００３５】
また、図１中右側の例えばマイナス極のバッテリーターミナル４１（以下、マイナス極のバッテリーターミナル４１という）は、平板部４４の図１中左縁部下面に、右側ターミナル用開口３３のリブ用溝３３ａに対応する形状及び寸法の回転防止用リブ４５が嵌挿方向に沿って突設される。これにより、マイナス極のバッテリーターミナル４１は、右側ターミナル用開口３３にのみ嵌挿可能で、左側ターミナル用開口３２には嵌挿不能であるとともに、固定用ナット２３の回転に伴うバッテリーターミナル４１の水平面内での不用意な回転等が防止される。
【００３６】
また、前記各バッテリーターミナル４０，４１の平板部４２，４４先端には、各ターミナル用開口３２，３３への各バッテリーターミナル４０，４１の嵌挿方向、平面視Ｕ字状の接続用溝４６及び係止爪４７が設けられている。
【００３７】
前記接続用溝４６は、各ターミナル用開口３２，３３への各バッテリーターミナル４０，４１の嵌挿方向側に開口されており、対応するターミナル用開口３２，３３への各バッテリーターミナル４０，４１の嵌挿に伴って、バッテリーポスト２１，２２が嵌合されて電気的接続を得る。
また、前記係止爪４７は、各バッテリーターミナル４０，４１の平板部４２，４４の先端下面に突設されており、対応するターミナル用開口３２，３３への各バッテリーターミナル４０，４１の嵌挿に伴って、バッテリー本体２０の被係止部３１に係止される（図２参照）。
【００３８】
また、前記各バッテリーターミナル４０，４１は、バッテリー本体２０の外側壁２６，２７，２８における左側角部２４及び右側角部２５を各々挟んで交差する２面（外側壁２６，２７又は２６，２８）に設けられたターミナル用開口３２，３３のいずれか一方を適宜選択して嵌挿作業を行うことができる。従って、バッテリー本体２０の設置位置に対応させて２方向のいずれの方向からでも各バッテリーターミナル４０，４１を対応する極性のバッテリーポスト２１，２２に接続可能である。
そして、各バッテリーターミナル４０，４１は、対応するターミナル用開口３２，３３に嵌挿され、接続用溝４６内にバッテリーポスト２１，２２が嵌合された状態で、バッテリー本体２０の作業用開口３４を介してバッテリーポスト２１，２２に螺合される固定用ナット２３によって、各バッテリーポスト２１，２２に固定される。
【００３９】
次に、本実施形態のバッテリーターミナルの接続構造の接続手順を説明する。先ず、図１に示すように各バッテリーターミナル４０，４１をバッテリー本体２０の対応する極性のバッテリーポスト２１，２２に接続させる際、プラス極のバッテリーターミナル４０を、左側ターミナル用開口３２から収容空間３０に嵌挿させる。この嵌挿に伴って、バッテリーターミナル４０の接続用溝４６内にバッテリーポスト２１が嵌合され、電気的に接続されるとともに、バッテリーターミナル４０の係止爪４７が、被係止部３１に引掛かるように係止される（図２参照）。
【００４０】
この際、プラス極のバッテリーターミナル４０を、誤って右側ターミナル用開口３３に嵌挿させようとしても、形状の相違から嵌挿させることはできない。従って、バッテリーターミナル４０を、極性を誤ってバッテリーポスト２２に接続させることはできない。
また、プラス極のバッテリーターミナル４０は、左側ターミナル用開口３２に嵌挿された状態では、脱落等の心配はなく、良好な作業性を行うことができる。
【００４１】
次に、バッテリー本体２０の作業用開口３４を介して、バッテリーポスト２１に予め螺合されている固定用ナット２３に締め付け用ツールを掛け、固定用ナット２３を回転させて締め付ける。これにより、バッテリーターミナル４０をバッテリーポスト２１に確実に固定することができる。
【００４２】
この際、バッテリーターミナル４０の係止爪４７が被係止部３１に係止されていることにより、固定用ナット２３による固定前に、バッテリーターミナル４０が左側ターミナル用開口３２から抜け落ちてしまうような不具合を確実に防ぐことができる。
また、バッテリーターミナル４０の回転防止用リブ４３が左側ターミナル用開口３２のリブ用溝３２ａに嵌合されることにより、固定用ナット２３の回転に伴うバッテリーターミナル４０の水平面内での不用意な回転等が防止される。
従って、作業者はバッテリーターミナル４０を片手で保持する等の必要がなく、良好な作業性が得られる。
【００４３】
なお、マイナス極のバッテリーターミナル４１についても、上述したプラス極のバッテリーターミナル４０の場合と同様に、極性を誤ることなく、且つ良好な作業性を以って、右側ターミナル用開口３３を介してマイナス極のバッテリーポスト２２に固定することができる。
【００４４】
次に、本発明のバッテリーターミナルの接続構造の第２実施形態を図３及び図４に基づいて説明する。図３は本実施形態のバッテリーターミナルの接続構造を示す要部斜視図、図４は図３における要部の断面図である。
【００４５】
図３及び図４に示すように本実施形態のバッテリーターミナルの接続構造は、固定用ナット２３が合成樹脂等からなる開口閉塞用ノブ５０の仮想中心軸上に一体的に嵌め込み又はインサート成形により設けられている。この開口閉塞用ノブ５０は、手動操作で回転可能であるとともに、バッテリーポスト２１，２２への固定用ナット２３の螺合及び締め付けに伴って、バッテリー本体２０の作業用開口３４を閉塞させる。
【００４６】
すなわち、開口閉塞用ノブ５０は、固定用ナット２３が締め込まれた状態（図示しない）において、図４中下面に設けられたＯリング５１（又は開口閉塞用ノブ５０下面）が、バッテリー本体２０の上面に当接することで、作業用開口３４を閉塞する。これにより、作業用開口３４の良好な防水性及び防塵性を確保することができる。
また、開口閉塞用ノブ５０における固定用ナット２３の仮想中心軸上には、六角ナット状に形成されたツール装着部５２が突設されている。このツール装着部５２は、固定用ナット２３を回転させるための六角レンチ等の締め付けツールを必要に応じて使用するためのものである。
【００４７】
また、本実施形態では、各ターミナル用開口３２，３３の形状及び数、各作業用開口３４の形状、及び各バッテリーターミナル４０，４１の形状が、第１実施形態とは異なる。
【００４８】
すなわち、ターミナル用開口３２，３３は、各収容空間３０毎に１個ずつ計２個設けられている。左側ターミナル用開口３２では、長手方向右端部（図３中右端上方）に延びるリブ用溝３２ａを有し、右側ターミナル用開口３３では、長手方向左端部（図３中左端上方）に延びるリブ用溝３３ａを有する。また、各作業用開口３４は、平面視略円形に形成されている。
【００４９】
更に、プラス極のバッテリーターミナル４０は、平板部４２の図３中右縁部上面に、左側ターミナル用開口３２のリブ用溝３２ａに対応する形状及び寸法の回転防止用リブ４３が突設されている。マイナス極のバッテリーターミナル４１は、平板部４４の図３中左縁部上面に、右側ターミナル用開口３３のリブ用溝３３ａに対応する形状及び寸法の回転防止用リブ４５が突設されている。その他の構成及び作用は、上記第１実施形態と同様である。
【００５０】
上述したように上記各実施形態のバッテリーターミナルの接続構造によれば、バッテリー本体２０の各外側壁２６，２７，２８に壁部２９との間で開口する各ターミナル用開口３２，３３は、対応する極性のバッテリーターミナル４０，４１のみを嵌挿可能であり、且つ各バッテリーターミナル４０，４１は、対応するターミナル用開口３２，３３に嵌挿可能な所要形状に形成されている。従って、各バッテリーポスト２１，２２への各バッテリーターミナル４０，４１の極性違いによる誤接続を確実に防止することができる。
【００５１】
また、バッテリー本体２０の対応する各ターミナル用開口３２，３３への各バッテリーターミナル４０，４１の嵌挿に伴って、各バッテリーターミナル４０，４１の嵌合方向の先端に設けられた係止爪４７が、バッテリー本体２０の被係止部３１に係止される。従って、固定用ナット２３による固定前に、バッテリーターミナル４０，４１がターミナル用開口３２，３３から抜けてしまうことはなく、作業者は固定用ナット２３を螺合させるに当たって、バッテリーターミナル４０，４１を保持しておく必要がない。
【００５２】
更に、バッテリーターミナル４０，４１の回転防止用リブ４３，４５がターミナル用開口３２，３３のリブ用溝３２ａ，３３ａに嵌合されるので、固定用ナット２３の螺合による回転に伴ってバッテリーターミナル４０，４１の水平面内での不用意な回転等を確実に防止することができる。従って、バッテリーターミナル４０，４１接続時の良好な作業性を確保することができる。
【００５３】
また、各極性のバッテリーポスト２１，２２が、その先端部をバッテリー本体２０の壁部２９から外側に突出しないように設けられているので、ツール等の不用意な接触によるショート及び損傷等からバッテリーポスト２１，２２を確実に保護することができる。
【００５４】
また、上記第１実施形態によれば、各極性のバッテリーターミナル４０，４１に対応するターミナル用開口３２，３３が、バッテリー本体２０の外側壁２６，２７，２８における角部２４，２５を挟んで交差する２面に設けられている。
各極性のバッテリーターミナル４０（又は４１）は、バッテリー本体２０の外側壁２６，２７，２８における角部２４（又は２５）を挟んで交差する２面（外側壁２６，２７又は２６，２８）に設けられたターミナル用開口３２，３２（又は３３，３３）のいずれか一方を選択的に介して、対応する極性のバッテリーポスト２１，２２に接続可能である。
従って、良好な作業性と、搭載車両等におけるバッテリーレイアウト等に対応してバッテリーターミナルの接続方向を選択できる高い自由度を得ることができる。
【００５５】
更に、上記第２実施形態によれば、各バッテリーターミナル４０，４１をバッテリーポスト２１，２２への螺合によって固定する固定用ナット２３に、バッテリーポスト２１，２２への螺合に伴って作業用開口３４を閉塞する開口閉塞用ノブ５０が一体的に設けられている。従って、作業用開口３４を介した固定用ナット２３の良好な螺合作業性の確保と、作業後の作業用開口３４の閉塞による高い防水性及び防塵性の確保を両立させることができる。
【００５６】
また、バッテリーポスト２１，２２への固定用ナット２３の螺合に当たって、開口閉塞用ノブ５０を直接手動操作して回転させ、固定用ナット２３を締め付けることができ、且つ開口閉塞用ノブ５０のツール装着部５２に所要のツールを嵌合させて、前記ツールを介して固定用ナット２３を締め付けることもできる。
【００５７】
しかも、上述した各実施形態のバッテリー構造は、バッテリー本体２０に立設されたバッテリーポスト２１，２２に螺合される固定用ナット２３によって、バッテリーターミナル４０，４１を各バッテリーポスト２１，２２に固定させる最も一般的なものであり、様々な構成のバッテリー構造に適用可能であって、汎用性の面で顕著な効果を得ることができる。
【００５８】
【発明の効果】
以上説明したように本発明のバッテリーターミナルの接続構造によれば、下記のような顕著な効果を得ることができる。
すなわち、上記請求項１記載の発明によれば、バッテリー本体は、その外側壁に形成された壁部に囲まれた収容空間内に設けられたプラス極及びマイナス極のバッテリーポストと、外側壁に設けられ、各バッテリーポストの収容空間を外部に連通させるとともに、プラス極又はマイナス極の各バッテリーポストに対応するバッテリーターミナルのみを嵌挿可能なように専用の所要形状を有する少なくとも一対のターミナル用開口とを備え、各バッテリーターミナルは、対応するターミナル用開口に嵌挿可能な所要形状に形成されており、ターミナル用開口への嵌挿方向先端に、バッテリーポストに嵌合されて電気的接続を得る接続用溝を備えている。
【００５９】
従って、電線端部にそれぞれ接続されたプラス極又はマイナス極のバッテリーターミナルが、バッテリー本体の外側壁の対応するターミナル用開口から対応する極性のバッテリーポストの収容空間にそれぞれ嵌挿され、その先端の接続用溝内にバッテリーポストが嵌合される。この際、バッテリーターミナルを、対応しない極性のターミナル用開口に誤って嵌挿させようとしても、形状の相違から嵌挿させることはできない。また、各バッテリーターミナルは、対応するターミナル用開口に嵌挿された状態では、作業中の脱落等の心配が殆どない。よって、ターミナル用開口は、対応する極性のバッテリーターミナルのみを嵌挿可能であり、極性違いによる誤接続を確実に防止することができるとともに、良好な作業性を得ることができる。
【００６０】
また、請求項２記載の発明によれば、バッテリー本体の各バッテリーポスト近傍には、各バッテリーターミナルを係止する被係止部が設けられ、各バッテリーターミナルの先端には、各ターミナル用開口からバッテリーポストへの嵌挿に伴って、被係止部に係止される係止爪が設けられている。
従って、バッテリー本体の対応する各ターミナル用開口への各バッテリーターミナルの嵌挿に伴って、各バッテリーターミナルの先端に設けられた係止爪が、各バッテリーポスト近傍に設けられた被係止部に係止される。よって、作業中に、バッテリーターミナルがターミナル用開口から抜け落ちてしまう等の不具合が確実に防止され、良好な作業性を得ることができる。
【００６１】
また、請求項３記載の発明によれば、各バッテリーターミナルには、ターミナル用開口への嵌挿方向に沿って回転防止用リブが突設されており、バッテリー本体の各ターミナル用開口には、回転防止用リブを嵌挿するリブ用溝が設けられている。
従って、各極のバッテリーターミナルが、バッテリー本体の外側壁の対応するターミナル用開口から各極のバッテリーポストの収容空間に嵌挿される際、各バッテリーターミナルのターミナル用開口への嵌挿方向に沿って突設された回転防止用リブが、ターミナル用開口のリブ用溝に嵌合される。よって、作業に伴う各バッテリーターミナルの不用意な回転等が防止され、良好な作業性を得ることができる。
【００６２】
また、請求項４記載の発明によれば、各極性のバッテリーポストは、バッテリー本体の角部近傍に配置されるとともに、バッテリーポストに対応する各ターミナル用開口が、角部を挟んで交差する外側壁の両面に設けられており、各極性のバッテリーターミナルは、両面に設けられたターミナル用開口のいずれか一方を選択的に介して、対応する極性のバッテリーポストに接続可能である。
従って、各極性のバッテリーターミナルは、バッテリー本体の角部を挟んで交差する外側壁の両面に設けられた２箇所のターミナル用開口のいずれか一方を適宜選択して、対応する極性のバッテリーポストに接続される。よって、良好な作業性と、搭載車両等におけるバッテリーレイアウト等の高い自由度を得ることができる。
【００６３】
また、請求項５記載の発明によれば、各極性のバッテリーポストの先端部が、バッテリー本体の壁部から外側に突出しないように設けられている。
従って、ツール等の不用意な接触によるショート及び損傷等からバッテリーポストを保護することができる。
【００６４】
また、請求項６記載の発明によれば、各極性のバッテリーポストには、対応するターミナル用開口に嵌挿されてバッテリーポストに嵌合された各バッテリーターミナルを、バッテリーポストへの螺合によって固定する螺合部材が設けられ、バッテリー本体の壁部には、各螺合部材の螺合作業のための作業用開口が設けられ、各螺合部材には、バッテリーポストへの螺合に伴って作業用開口を閉塞させる開口閉塞部材が一体的に設けられている。
従って、各バッテリーターミナルは、それぞれ対応するターミナル用開口に嵌挿されて接続用溝内にバッテリーポストが嵌合された状態で、螺合部材がバッテリーポストに螺合されることにより固定される。このバッテリーポストへの螺合部材の螺合に伴って、螺合部材に一体的に設けられた開口閉塞部材が、作業用開口を閉塞させる。よって、作業後の作業用開口の閉塞による高い防水性及び防塵性を得ることができる。
【００６５】
更に、請求項７記載の発明によれば、各開口閉塞部材は、外部から手動操作可能であり、前記螺合部材を螺合させるための所要のツールを装着可能なツール装着部が設けられている。
従って、各バッテリーターミナルは、それぞれ対応するターミナル用開口に嵌挿されて接続用溝にバッテリーポストが嵌合された状態で、螺合部材が一体的に設けられた開口閉塞部材を外部から手動操作で回転させるか又は開口閉塞部材のツール装着部に装着された所要のツールを介して操作することにより、バッテリーポストに螺合される。よって、螺合部材の良好な螺合作業性を得ることができるとともに、作業後の作業用開口の閉塞による高い防水性及び防塵性の確保が両立される。
【図面の簡単な説明】
【図１】本発明の第１実施形態であるバッテリーターミナルの接続構造を示す要部斜視図である。
【図２】図１におけるバッテリーターミナルの接続構造の被係止部及び係止爪を示す要部断面図である。
【図３】本発明の第２実施形態であるバッテリーターミナルの接続構造を示す要部斜視図である。
【図４】図３における要部断面図である。
【図５】従来のバッテリーの端子接続構造を示す平面図である。
【図６】図５における要部斜視図である。
【符号の説明】
１０  電線端部
２０  バッテリー本体
２１，２２  バッテリーポスト
２３  螺合部材（固定用ナット）
２４  角部（左側角部）
２５  角部（右側角部）
２６，２７，２８  外側壁
２９  壁部
３０  収容空間
３１  被係止部
３２，３３  ターミナル用開口
３２ａ，３３ａ  リブ用溝
３４  作業用開口
４０，４１  バッテリーターミナル
４２，４４  平板部
４３，４５  回転防止用リブ
４６  接続用溝
４７  係止爪
５０  開口閉塞部材（開口閉塞用ノブ）
５１  Ｏリング
５２  ツール装着部
【図１】
0003761143.tif 000002
【図２】
0003761143.tif 000003
【図３】
0003761143.tif 000004
【図４】
0003761143.tif 000005
【図５】
0003761143.tif 000006
【図６】
0003761143.tif 000007